(57)【要約】【課題】簡易な操作で所望の説明画面を容易に呼び出して表示部に表示できるように説明画面を呼び出しやすくして表示入力装置の使いやすさを高める。【解決手段】表示入力装置は機能に含まれる複数の設定項目を選択するための選択キーを表示し、選択された設定項目の設定画面を表示する表示部と、表示部に対して設けられ、使用者の入力を受け付け、タッチされた位置を検知するとともに、タッチしたままタッチ位置が動かされるなぞり操作を検知するためのタッチパネル部と、を含み、選択キーの表示位置内に対してのなぞり操作が検知されたとき、表示部はなぞり操作がなされた位置の選択キーに対応する設定項目を説明する設定項目説明画面を表示する。【選択図】図９
2014081920.tif 000002
【特許請求の範囲】
【請求項１】
機能に含まれる複数の設定項目を選択するための選択キーを表示し、選択された前記設定項目の設定画面を表示する表示部と、
前記表示部に対して設けられ、使用者の入力を受け付け、タッチされた位置を検知するとともに、タッチしたままタッチ位置が動かされるなぞり操作を検知するためのタッチパネル部と、を含み、
前記選択キーの表示位置内に対しての前記なぞり操作が検知されたとき、前記表示部は前記なぞり操作がなされた位置の前記選択キーに対応する前記設定項目を説明する設定項目説明画面を表示することを特徴とする表示入力装置。
【請求項２】
前記表示部の表示領域のうち、空白の表示位置に対しての前記なぞり操作が検知されたとき、前記表示部は機能の利用方法を説明する機能説明画面を表示することを特徴とする請求項１記載の表示入力装置。
【請求項３】
１回の前記なぞり操作で、複数の前記選択キーに対する前記なぞり操作が検知されたとき、前記表示部は、前記なぞり操作がなされた複数の前記選択キーに対応する複数の前記設定項目説明画面を表示することを特徴とする請求項１又は２に記載の表示入力装置。
【請求項４】
前記表示部は複数のタブを表示し、前記タブの表示位置へのタッチが検知されると、前記タブを基準として分類された前記設定項目の前記選択キーを表示し、前記タブの表示位置に対しての前記なぞり操作が検知されたとき、前記なぞり操作がなされた位置に表示された前記タブを説明するタブ説明画面を表示することを特徴とする請求項１乃至３の何れか１項に記載の表示入力装置。
【請求項５】
１回の前記なぞり操作で、複数の前記タブに対する前記なぞり操作が検知されたとき、前記表示部は、前記なぞり操作がなされた複数の前記タブに対応する複数の前記タブ説明画面を表示することを特徴とする請求項４に記載の表示入力装置。
【請求項６】
前記表示部は機器の画像である機器画像を表示し、
前記機器画像の表示位置に対しての前記なぞり操作が検知されたとき、前記なぞり操作がなされた位置に表示された機器の状態を示すステータス画面を表示することを特徴とする請求項１乃至５のいずれか１項に記載の表示入力装置。
【請求項７】
前記表示部は、前記ステータス画面で、トナーや用紙の残量情報を表示することを特徴とする請求項６に記載の表示入力装置。
【請求項８】
前記選択キーの表示位置のタッチの後、前記なぞり操作がなされずにタッチが無くなったことが検知されたとき、前記表示部はタッチ位置に表示された前記選択キーに対応する前記設定項目の前記設定画面を表示するとともに前記設定画面内に前記設定項目の設定値を設定するための設定キーを表示し、前記設定キーの表示位置内に対しての前記なぞり操作が検知されたとき、表示中の前記設定画面に対応する前記設定項目の前記設定項目説明画面を表示することを特徴とする請求項１乃至７のいずれか１項に記載の表示入力装置。
【請求項９】
タッチパネル部は、タッチ位置が予め定められた距離以上動かされるとなぞり操作がなされたと検知し、
前記予め定められた距離は、通常のタッチの際のタッチ位置の微妙なずれの長さよりも長いことを特徴とする請求項１乃至８の何れか１項に記載の表示入力装置。
【請求項１０】
請求項１乃至９のいずれか１項に記載の表示入力装置を含むことを特徴とする画像形成装置。
【発明の詳細な説明】
【技術分野】
【０００１】
本発明は設定用のキーなどの画像を表示する表示部や、タッチパネル部を有する表示入力装置に関する。又、表示入力装置を備えた画像形成装置に関する。
【背景技術】
【０００２】
操作、設定用のキーや画像、情報を表示する表示部や、操作、設定のための入力を受け付けるためのタッチパネルなどを含む入力装置がある。例えば、画像形成装置（複合機、複写機、プリンター、ＦＡＸ装置など）のような機器に、使用する機能や、機能に関する設定項目の設定を行うため、表示部やタッチパネルを含む入力装置が設けられる。
【０００３】
ここで、従来、簡易な入力を可能にして、入力のしやすさ（使いやすさ）を高めるための各種の工夫が入力装置に対してなされている。例えば、特許文献１には、複数種類の文字がそれぞれ表示された複数個の文字キー２１〜３２と、文字キーの領域内において、最初にタッチした点である始点Ａの位置を検出する始点位置検出手段１３１と、始点Ａからタッチしたまま所定長さ以上移動するバータッチ操作が解除された点である終点Ｂの位置を検出する終点位置検出手段１３２と、始点および終点に基づいて直線距離ｄおよび方向θを取得するベクトル取得手段１３３と、このベクトル取得手段で取得された方向を判別可能な方向判別手段１３５と、ベクトル取得手段で取得された直線距離が所定範囲値内にあるか否かを判別する距離判別手段１３４と、直線距離が所定範囲値内にあると判別された場合に、始点を含む文字キーの中心位置に対して方向判別手段で判別された方向に応じて設定された文字を選択して出力するバータッチ入力手段１３８と、直線距離が所定範囲値外であると判別された場合に、方向に応じて設定された前記バータッチ入力の際のキー入力を補助する機能を動作させる補助機能手段１３７（バックスペース機能や文字種変換機能やスペース変換機能やモード変換機能など）を備える入力装置が記載されている。この構成により、入力スピードの向上や入力操作の効率を高めようとする（特許文献１：請求項１、段落［０００８］〜［００１０］等参照）。
【先行技術文献】
【特許文献】
【０００４】
【特許文献１】特開２００７−２１３６１５号公報
【発明の概要】
【発明が解決しようとする課題】
【０００５】
画像形成装置で各機能を利用するうえで、選択、設定できる設定項目が多数用意される（例えば、数十から数百）。例えば、コピー機能では、印刷物の濃度設定のような印刷品質に関する設定項目、両面印刷や集約印刷のように各ページのレイアウトに関する設定項目などがある。更には、複数の機能（例えば、コピーやプリンターやスキャナや画像データ送信など）を利用できる画像形成装置もあり、このような複合機では、設定項目の数はさらに多くなる。
【０００６】
使用者は、所望のジョブ結果を得るため、操作パネルのような入力装置を用いて画像形成装置に対し、用いる設定項目の選択や、設定項目での設定値の設定を行う。しかし、用意される設定項目が多数に及ぶと設定方法が複雑になりやすい。又、操作パネルでの設定習熟に時間を要する。又、ある設定項目のある設定値を設定すると、自動的に別の設定項目のある設定値を設定不可となる場合がある（禁則関係）。例えば、色設定では、白黒を設定すると、カラーに関する設定が行えなくなるといった禁則関係がある。しかし、なぜ設定不可に制限されるのかよく分からない使用者もいる。
【０００７】
このように、用意される設定項目が多数に及ぶので、設定方法やどのような結果が得られるか分からない設定項目が存在する。又、使用者は自己の所望するジョブ結果を得るにはどのような設定項目を選択し、どのような設定値を設定すればよいか、使用者が迷う場合がある。
【０００８】
そこで、操作パネルの表示部に各種ヘルプ画面を表示できるようにすることがある。使用者は表示されたヘルプ画面を参照することで、設定、操作に迷った使用者は、設定項目や設定値の内容、設定方法を理解できる。言い換えると、ヘルプ画面は使用者を案内し、理解の手助けとなる。
【０００９】
ここで、一般に、ヘルプ画面はヘルプキーを押すことで呼び出すようになっている（ヘルプキーを押すと表示部に表示される）。そして、ヘルプキーは表示部にソフトキーとして表示されることがある（ハードキーとして設けられる可能性もある）。
【００１０】
しかし、ヘルプキーの位置は設定項目を選択するためのキーなどから離れていたり、表示するキーや画像のレイアウトの便宜のため、各画面でヘルプキーの表示位置が変えられたりする。そのため、ヘルプキーの位置に気づきにくい場合がある。又、ヘルプ画面を呼び出すには、ヘルプキーを探し出し、そのうえでヘルプキーの表示位置をタッチする必要がある。場合によっては、ヘルプキーの表示位置をタッチした後、所望のヘルプ画面を選択するなど、更なる操作が要求される場合もある。これらの理由から、ヘルプ画面の呼び出し操作は、操作性が悪いという問題がある。操作性が悪いと、使用者は、ヘルプ画面の呼び出し操作を煩わしく感じる。
【００１１】
尚、特許文献１記載の技術は、使用者の入力の簡易化を図るものではあるが、ヘルプ画面を表示するものではない。従って、特許文献１記載の技術では、ヘルプ画面の呼び出し操作の操作性は悪いという問題を解決できない。
【００１２】
本発明は上記の問題点に鑑み、簡易な操作で所望のヘルプ画面（説明画面）を容易に呼び出して表示部に表示できるようにし、説明画面を呼び出しやすくして表示入力装置の使いやすさを高める。
【課題を解決するための手段】
【００１３】
上記課題解決のため請求項１に係る表示入力装置は、機能に含まれる複数の設定項目を選択するための選択キーを表示し、選択された前記設定項目の設定画面を表示する表示部と、前記表示部に対して設けられ、使用者の入力を受け付け、タッチされた位置を検知するとともに、タッチしたままタッチ位置が動かされるなぞり操作を検知するためのタッチパネル部と、を含み、前記選択キーの表示位置内に対しての前記なぞり操作が検知されたとき、前記表示部は前記なぞり操作がなされた位置の前記選択キーに対応する前記設定項目を説明する設定項目説明画面を表示することとした。
【発明の効果】
【００１４】
上述のように、本発明によれば、簡易な操作で所望の説明画面（ヘルプ画面）を容易に呼び出して表示部に表示させることができる。従って、説明画面を呼び出しやすく、使用者が使いやすい表示入力装置、画像形成装置を提供することができる。
【図面の簡単な説明】
【００１５】
【図１】本発明の一実施形態による複合機を示す図である。
【図２】本発明の一実施形態による操作パネルを示す図である。
【図３】本発明の一実施形態による複合機や操作パネルのハードウェア構成を示す図である。
【図４】本発明の一実施形態によるコピー機能の初期画面を示す図である。
【図５】本発明の一実施形態によるコピー機能の設定項目を選択するための画面を示す図である。
【図６】本発明の一実施形態によるコピー機能の設定項目を選択するための画面を示す図である。
【図７】本発明の一実施形態による原稿サイズの設定項目の設定画面を示す図である。
【図８】本発明の一実施形態による原稿サイズの設定項目の設定画面を示す図である。
【図９】本発明の一実施形態による設定項目説明画面の一例を示す図である。
【図１０】本発明の一実施形態による機能説明画面を示す図である。
【図１１】本発明の一実施形態によるタブ説明画面の一例を示す図である。
【図１２】本発明の一実施形態によるステータス画面への遷移を示す図である。
【発明を実施するための形態】
【００１６】
以下、図１〜図１２を用い、実施形態を説明する。以下では、操作パネル１（表示入力装置に相当）を含む複合機１００（画像形成装置に相当）を例に挙げ説明する。但し、本実施の形態に記載されている構成、配置等の各要素は、発明の範囲を限定せず、単なる説明例にすぎない。
【００１７】
（画像形成装置の概略）
まず、図１を用い、実施形態に係る複合機１００の概略を説明する。図１は複合機１００の一例を示す正面模型的断面図である。
【００１８】
図１に示すように、複合機１００の正面前方には、複合機１００に関して各種設定を行うための操作パネル１が設けられる（詳細は後述）。
【００１９】
又、図１に示すように、本実施形態の複合機１００は上部に原稿カバー１００ａを含む画像読取部２が配される。又、複合機１００本体内には給紙部３ａ、搬送部３ｂ、画像形成部４ａ、定着部４ｂ、排出搬送部３ｃ、両面搬送部３ｄ等が設けられる。
【００２０】
図１に示すように、画像読取部２の上面には、原稿を１枚ずつ読み取る際に原稿が載置されるコンタクトガラス２１が配される。又、画像読取部２内には、ランプ、ミラー、レンズ、イメージセンサー等（不図示）が配される。イメージセンサーはコンタクトガラス２１に載置された原稿の反射光を元に、原稿を読み取る。そして、イメージセンサーは反射光を画像濃度に応じたアナログの電気信号に変換し、電気信号の量子化を行う。これにより、原稿の画像データが得られる。尚、本実施形態の画像読取部２は、カラーでも読み取り可能であり、白黒でも読み取り可能である。
【００２１】
給紙部３ａは複数のカセット３１を含む。カセット３１はそれぞれ、複数の用紙（例えば、コピー用紙、普通紙、再生紙、厚紙、ＯＨＰシート等の各種シート）を収容し、１枚ずつ搬送部３ｂに送り込む。各カセット３１に対し、カセット３１から用紙を送り出す給紙ローラー３２が設けられる。印刷の際、いずれかの給紙ローラー３２が回転し、搬送部３ｂや画像形成部４ａに向けて用紙を送り出す。
【００２２】
搬送部３ｂは給紙部３ａから排出トレイ３３まで用紙を搬送する通路である。そして、搬送部３ｂには、用紙搬送の際に回転駆動する搬送ローラー対３４や、搬送されてくる用紙を画像形成部４ａの手前で待機させ、トナー像形成のタイミングを合わせて用紙を送り出すレジストローラー対３５等が設けられる。
【００２３】
画像形成部４ａは画像データに基づきトナー像を形成し、搬送される用紙にトナー像を転写する。そのため、画像形成部４ａは図１中に示す矢印方向に回転駆動可能に支持された感光体ドラム４１、及び、感光体ドラム４１の周囲に配設された帯電装置４２、露光装置４３、現像装置４４、転写ローラー４５、清掃装置４６等を備える。
【００２４】
トナー像形成及び転写プロセスを説明する。感光体ドラム４１は画像形成部４ａの略中心に設けられ、所定方向に回転駆動する。帯電装置４２は所定電位に感光体ドラム４１を帯電させる。図１において、露光装置４３は画像データに基づき、レーザ光を出力し、感光体ドラム４１表面を走査露光して画像データに応じた静電潜像を形成する。尚、画像データは画像読取部２で得られた画像データや、ネットワーク等により接続されるコンピューター２００や相手方のＦＡＸ装置３００（図３参照）から送信された画像データ等が用いられる。
【００２５】
そして、現像装置４４は感光体ドラム４１に形成された静電潜像にトナーを供給して現像する。転写ローラー４５は感光体ドラム４１に圧接し、ニップが形成される。そして、トナー像にあわせタイミングを図られつつ、用紙はニップに進入する。用紙進入時、転写ローラー４５には所定の電圧が印加され、用紙に感光体ドラム４１上のトナー像が転写される。清掃装置４６は転写後に感光体ドラム４１に残留するトナーを除去する。
【００２６】
定着部４ｂは用紙に転写されたトナー像を定着させる。本実施形態における定着部４ｂは主として発熱体を内蔵する加熱ローラー４８と加圧ローラー４９で構成される。加熱ローラー４８と加圧ローラー４９は圧接しニップを形成する。そして、用紙がこのニップを通過することで、用紙表面のトナーが溶融・加熱され、トナー像が用紙に定着する。トナー定着後の用紙（印刷済用紙）は排出トレイ３３に排出される。このようにして、コピー機能、プリンター機能の使用時、画像形成（印刷）が行われる。
【００２７】
排出搬送部３ｃは印刷済の用紙を排出トレイ３３方向又は両面搬送部３ｄの方向に仕分けつつ用紙を搬送する。そして、排出搬送部３ｃは正回転方向に回転駆動して排出トレイ３３の方向に送り出し、両面印刷のときは完全に用紙を排出しきる前に逆回転し片面印刷済みの用紙のスイッチバックを行う排出ローラー対３６を有する。又、排出搬送部３ｃは用紙の搬送方向を切り換えるための切換器３７を有する。切換器３７は回動する。切換器３７は両面搬送部３ｄを閉じて用紙を排出トレイ３３方向に導く位置を基本位置とする。そして、切換器３７は両面印刷の際、回動し、スイッチバックされた片面印刷済みの用紙を両面搬送部３ｄに導く。両面搬送部３ｄは定着部４ｂの下流側とレジストローラー対３５の上流側とを結ぶ。両面搬送部３ｄには、両面印刷のため、回転駆動する複数の両面搬送ローラー対３８ａ、３８ｂ、３８ｃが設けられ、片面印刷済の用紙が搬送される。そして片面印刷済みの用紙は再びレジストローラー対３５から送り出され、印刷がなされる。
【００２８】
次に、図２を用いて、実施形態に係る操作パネル１を説明する。図２は操作パネル１を示す平面図である。
【００２９】
図１に示すように、操作パネル１は複合機１００の正面上方に設けられる。そして、操作パネル１は表示部１１、タッチパネル部１２、ハードキー（数字入力用のテンキー部１３やコピー等の処理開始指示用のスタートキー１４など）、機能選択キーなどを含む。
【００３０】
表示部１１は、液晶表示パネルである。表示部１１は、有機ＥＬパネルなど他種の表示パネルでもよい。表示部１１は複合機１００の設定を行うためのメニューやキーを表示する。具体的に、表示部１１は機能に含まれる複数の設定項目を選択するための選択キーを表示し、選択された設定項目の設定画面を表示する。そして、設定項目の設定画面では、表示部１１は、設定画面内に設定項目の設定値を設定するための設定キーを表示する（詳細は後述）。
【００３１】
そして、使用者は、表示部１１に表示されたキーを指定して、複合機１００の各種設定を入力できる。又、表示部１１は複合機１００等の状態メッセージ等の各種画像、画面を表示する。
【００３２】
又、表示部１１の上面にタッチパネル部１２が設けられる。タッチパネル部１２は、使用者がタッチした位置（座標）を検知するためのものである。キーの表示位置とタッチされた位置を比較することで、使用者が選択、指定するキーが特定され、使用者の入力が受け付けられる。尚、タッチパネル部１２は、同時にタッチされた複数の位置を認識できるようにするため、タッチパネル部１２には投影型の静電容量方式のタッチパネル１２ｂが用いられる。尚、タッチパネル部１２は、静電容量方式のものに限られない。
【００３３】
又、表示部１１の左側には、複合機１００に含まれる機能のうち、いずれの機能を用いるか選択するための機能選択キーが複数設けられる。例えば、機能選択キーとして、コピーキー１５ａ、送信キー１５ｂ、ボックスキー１５ｃ、ジョブ中止キー１５ｄ、プログラムキー１５ｅ、アプリケーションキー１５ｆなどが設けられる。コピーキー１５ａは、コピー機能を用いるときに押される。送信キー１５ｂは、送信機能を用いるときに押される。ボックスキー１５ｃは、ボックス機能を用いるときに押される。ジョブ中止キー１５ｄは、ジョブを中止するときに押される。プログラムキー１５ｅは、プログラム機能を用いるときに押される。アプリケーションキー１５ｆは、アプリケーション機能を用いるときに押される。いずれかの機能選択キーが押されると、表示部は、選択された機能の設定項目の選択や設定値を設定するための画面を表示する。尚、機能の詳細は後述する。
【００３４】
本実施形態の複合機１００には、各機能選択キーは、ハードキーとして設けられる。しかし、表示部１１が各機能を選択するためのソフトキーを表示し、タッチパネル部１２をタッチすることにより用いる機能が選択されてもよい。言い換えると、各機能選択キーは、ソフトキーでもよい。
【００３５】
（複合機１００等のハードウェア構成）
次に、図３を用いて、実施形態に係る複合機１００や操作パネル１のハードウェア構成の一例を説明する。図３は複合機１００や操作パネル１のハードウェア構成の一例を示すブロック図である。
【００３６】
まず、複合機１００本体内には、主制御部５が設けられる。例えば、主制御部５は操作パネル１、画像読取部２、給紙部３ａ、搬送部３ｂ、画像形成部４ａ、定着部４ｂ、排出搬送部３ｃ、両面搬送部３ｄ等と接続され、これらの制御を行う。
【００３７】
例えば、主制御部５はＣＰＵ５１等の制御を行う回路、素子を含む。ＣＰＵ５１は記憶装置５２に格納され、展開される制御プログラムに基づき演算等を行い、複合機１００の各部を制御する。尚、主制御部５は全体制御や画像処理を行うメイン制御部や、画像形成や各種回転体を回転させるモータ等のＯＮ／ＯＦＦ等を行い、印刷を制御するエンジン制御部等、機能ごとに分割して設けてもよい。本説明では、これらの制御部を主制御部５としてまとめた形態を示し、説明する。
【００３８】
記憶装置５２は主制御部５と接続される。記憶装置５２はＲＯＭ、ＲＡＭ、ＨＤＤ等の不揮発性と揮発性の装置を組み合わせたものである。記憶装置５２は複合機１００の制御用プログラム、制御用データ、設定データ、画像データ等の各種データを記憶できる。
【００３９】
そして、主制御部５は各種コネクタ、ソケットやＦＡＸモデム等を備えたインターフェイス部（以下、通信部５３）と接続される。通信部５３はネットワークや公衆回線等を介してコンピューター２００（例えば、パーソナルコンピューターやサーバー）や相手方ＦＡＸ装置３００（図６では、いずれも便宜上１つのみ図示）と接続される。
【００４０】
又、例えば、主制御部５には、画像読取部２で原稿を読み取って得られた画像データや通信部５３を介して複合機１００に入力された画像データに対し、画像処理を施す画像処理部５４が設けられる。例えば、画像処理部５４が処理した画像データは露光装置４３に送信され、感光体ドラム４１の走査・露光に用いられたり、記憶装置５２に記憶されたりする。
【００４１】
又、主制御部５は操作パネル１になされた入力を認識し、使用者の設定にあわせてコピーやスキャンなどのジョブが行われるように複合機１００を制御する。本実施形態の操作パネル１はパネル制御部１０、表示部１１、タッチパネル部１２、ハードキー（例えば、テンキー部１３やスタートキー１４や各種機能選択キー）、メモリー１６（記憶部に相当）、ドライバー回路１７等を含む。パネル制御部１０はＣＰＵやＩＣ等で構成される。パネル制御部１０は表示部１１の表示を制御し、タッチパネル部１２の出力を受け、タッチされた位置（座標）を認識する。メモリー１６はＲＯＭやＲＡＭを含む。パネル制御部１０はタッチ位置とタッチされたときの表示部１１が表示していた画面の画像データを比較し、タッチされた位置に表示されていたキーを認識する。これにより、パネル制御部１０は使用者により指定されたキーを認識する。
【００４２】
又、タッチパネル部１２にはタッチ検知部１２ａが設けられる。例えば、タッチ検知部１２ａはＩＣである。タッチ検知部１２ａはタッチパネル部１２に含まれるタッチパネル１２ｂの出力に基づき、タッチされた位置（座標）を検知するとともに、タッチしたままタッチ位置が予め定められた距離以上動かされるなぞり操作を検知する。例えば、タッチ検知部１２ａはタッチパネル１２ｂの出力電圧に基づき、周期的にタッチ位置を検知する。そして、タッチ検知部１２ａはタッチパネル１２ｂへのタッチを検知してからタッチがなくなるまでの間、現在のタッチ点と直前の検知時点のタッチ点の座標間の距離を求め、周期ごとに、距離を積算し、距離が予め定められた距離を超えるとなぞり操作がなされたと検知（認識）する。
【００４３】
そして、パネル制御部１０はタッチパネル部１２の出力（タッチ検知部１２ａから受信するデータ）に基づき、タッチされた位置やなぞり操作がなされたことを認識する。尚、タッチ検知部１２ａを設けず、パネル制御部１０がタッチパネル部１２のタッチパネル１２ｂの出力を受けて、パネル制御部１０がタッチされた位置やなぞり操作がなされたことを直接的に検知してもよい。
【００４４】
そして、表示部１１で表示される画面、画像の画像データは、例えば、操作パネル１内のメモリー１６が記憶する（記憶装置５２でもよい）。パネル制御部１０はタッチ位置に表示されたキー（選択、設定が受け付けられたキー）に応じ、次に表示すべき画面や画像の画像データをメモリー１６から読み出し、画面、画像の表示を表示部１１に切替させる。
【００４５】
（画像形成装置が有する機能）
次に、図２、図３を用いて複合機１００か含む機能（複合機１００で利用できる機能）を説明する。
【００４６】
本実施形態の複合機１００では、上述のように、機能選択キーにより、コピー機能、送信機能、ボックス機能、ジョブ中止機能、プログラム機能、アプリケーション機能のいずれを利用するか選択することができる。尚、複合機１００は、コンピューター２００から送信された画像データや設定データに基づき印刷を行うプリンター機能も有している。
【００４７】
まず、コピー機能は、原稿を読み取り、読み取りで得られた画像データに基づき、印刷を行って原稿を複写する機能である。そして、コピー機能に関し複数の設定項目が用意される（詳細は後述）。コピーキー１５ａが押されると、表示部１１はコピー機能に関する設定項目を選択する選択画面を表示する。設定項目の選択や設定値の設定がなされた後、スタートキー１４が押されると、主制御部５は操作パネル１でなされたコピーに関する設定に基づき、画像読取部２に原稿を読み取らせ、原稿の複写印刷を行わせる。
【００４８】
送信機能は、原稿を読み取り、読み取りで得られた画像データの処理を行い、コンピューター２００やＦＡＸ装置３００に画像データを送信する機能である。送信キー１５ｂが押されると、表示部１１は送信機能に関する設定項目を選択する選択画面を表示する。宛先、画像データの解像度や形式、濃度設定など多様な設定項目が用意される。使用者は、操作パネル１に入力を行って、送信機能に関し、所望する設定項目を選択し、選択した設定項目の設定画面で設定値を設定する。
【００４９】
機能選択キーにより送信機能が選択され、スタートキー１４が押されると、主制御部５は、操作パネル１での送信に関する設定に基づき、画像読取部２に原稿を読み取らせ、画像処理部５４や通信部５３等を動作させ、原稿に基づく画像データを送信させる。
【００５０】
ボックス機能は、原稿を読み取り、読み取りで得られた画像データを記憶装置５２に記憶（蓄積）させ、蓄積された画像データを後に再利用（コピーや送信等）する機能である。ボックスキー１５ｃが押されると、表示部１１はボックス機能に関する設定項目を選択する選択画面を表示する。原稿を読み取って記憶装置５２に記憶させるときの格納場所や、記憶させる画像データの解像度や形式や、濃度設定や、記憶装置５２に記憶される画像データの利用態様や、記憶した画像データの削除など多様な設定項目が用意される。そして、使用者は操作パネル１に入力を行って、ボックス機能に関し、所望する設定項目を選択し、選択した設定項目の設定画面で設定値を設定する。
【００５１】
機能選択キーによりボックス機能が選択され、スタートキー１４が押されると、主制御部５は操作パネル１でなされたボックス機能に関する設定に基づき、処理に必要な部分を動作させる。
【００５２】
ジョブ中止機能は現在実行中のジョブや、実行待ちのジョブの中止（取り消し）を受け付ける機能である。ジョブ中止キー１５ｄが押されると、表示部１１はジョブ中止に関する画面を表示する。例えば、現在実行中のジョブや、実行待ちのジョブを表示する。そして、使用者は操作パネル１に入力を行って、中止するジョブを選択する。主制御部５は、操作パネル１で中止が指示されたジョブを実行しない。
【００５３】
プログラム機能は、プログラムをメモリー１６や記憶装置５２に登録したり、登録したプログラムを呼び出したり、削除する機能である。本実施形態のプログラムとは、呼び出すことにより、設定項目の設定値をプログラムで定められた設定値とするものである。プログラムを呼び出せば、操作パネル１はプログラムの内容に従って設定された状態となる。例えば、使用者はよく用いる機能の複数の設定項目について、プログラムを定義し、登録する。これにより使用するたびに、複数の設定項目を１つずつ設定せずにすむ。
【００５４】
プログラムキー１５ｅが押されると、表示部１１はプログラム機能に関する設定項目を選択する選択画面を表示する。例えば、設定項目としては、プログラムの登録に関する設定項目や、登録したプログラムの利用に関する設定項目や、プログラムの表示順に関する設定項目など多様な設定項目が用意される。そして、使用者は操作パネル１に入力を行って、プログラム機能に関し、所望する設定項目を選択し、選択した設定項目の設定画面で設定値を設定する。
【００５５】
機能選択キーによりプログラム機能が選択され、スタートキー１４を押すなどしてプログラムの呼び出し指示がなされると、主制御部５は操作パネル１をプログラムで定められたとおりに、設定項目の設定値が設定された状態とする。
【００５６】
アプリケーション機能は、複合機１００のより便利、快適に利用するために作成されたアプリケーション（拡張プログラム）を記憶装置５２にインストールしたり、アプリケーションを起動、動作させたりする機能である。例えば、アプリケーションには目的にそって開発され、多様なものがある。例えば、原稿を読み取って得られた画像データに基づき、一定の目的のもとに分類してデータベース化するアプリケーションなどがある。
【００５７】
アプリケーションキー１５ｆが押されると、表示部１１はアプリケーション機能に関する設定項目を選択する選択画面を表示する。例えば、設定項目としては、アプリケーションのインストールに関する設定項目や、登録したアプリケーションの起動に関する設定項目など多様な設定項目が用意される。そして、使用者は操作パネル１に入力を行って、アプリケーション機能に関し、所望する設定項目を選択し、選択した設定項目の設定画面で設定値を設定する。
【００５８】
機能選択キーによりアプリケーション機能が選択されると、操作パネル１でなされた使用者の設定に合わせ、主制御部５はアプリケーションのインストールや起動やアプリケーションに沿った処理を行う。
【００５９】
（設定項目の選択の一例）
次に、図４〜図６を用いて、設定項目の選択を説明する。図４はコピー機能の初期画面Ｓ１を示す図である。図５、６はコピー機能の設定項目を選択するための画面を示す図である。
【００６０】
尚、本実施形態では、複合機１００に含まれる機能のうち、コピー機能を例に挙げて説明する。しかし、コピー機能以外の機能についても設定項目を選択するための画面が１又は複数用意される。
【００６１】
まず、図４は、コピーキー１５ａを押したときに、パネル制御部１０が表示部１１に最初に表示させる初期画面Ｓ１を示している。初期画面Ｓ１には、設定項目を選択するための選択キーとして、用いる用紙を選ぶための用紙選択キー６０、コピーでのズームの倍率を設定するための拡大縮小キー６１、印刷物の濃度を調整するための濃度キー６２、両面印刷などの設定を行うための両面分割キー６３、集約印刷（２ｉｎ１など）を設定するための集約キー６４、原稿サイズを指定するための原稿サイズキー６５などが設けられる。
【００６２】
パネル制御部１０は、タッチパネル部１２の出力に基づき、なぞり操作で無い態様でいずれかの選択キーの表示位置がタッチされたとき（いずれかの選択キーをタッチした後、なぞり操作と認識されるまえにタッチが無くなったとき）、設定項目が選択されたと認識し、選択された設定項目の設定画面を表示する（詳細は後述）。言い換えると、タッチパネル部１２が選択キーの表示位置のタッチの後、なぞり操作がなされずにタッチが無くなったことを検知したとき、表示部１１は、タッチ位置に表示された選択キーに対応する設定項目の設定画面を表示する。
【００６３】
初期画面Ｓ１には、よく用いるなどの観点から、予め表示すると設定された設定項目の選択キーが表示される。尚、初期画面Ｓ１に表示する設定項目（選択キー）は操作パネル１で設定でき、所望の設定項目の選択キーを表示させることができる。
【００６４】
ここで、設定項目は多数用意されるので、全ての設定項目の選択キーを１画面内に表示しきれない（表示させると１つの選択キーの大きさが極めて小さくなる）。そこで、設定項目は、複数のカテゴリー（グループ）に分類される。具体的に、カテゴリーは、タブとして表示される。初期画面Ｓ１に表示されない設定項目を設定するには、いずれかのタブの表示位置をタッチする。
【００６５】
コピー機能の設定項目を選択する画面では、パネル制御部１０はタブとしては、初期画面タブ７１、原稿／用紙／仕上げタブ７２、カラー／画質タブ７３、レイアウト編集タブ７４、応用／その他タブ７５、プログラムタブ７６を表示部１１に表示させる。タブがタッチされると、パネル制御部１０はタッチされたタブに関連付けられた設定項目（タッチされたタブのカテゴリーに分類された設定項目）の選択キーを一覧的に表示した画面を表示部１１に表示させる
【００６６】
図５に示すように、例えば、原稿／用紙／仕上げタブ７２が表示された位置がタッチされると、パネル制御部１０は、原稿サイズや用紙サイズや、原稿や用紙の向きや、給紙元など、原稿や用紙に関する設定項目を示す選択キーを表示する画面（選択画面Ｓ２）を表示部１１に表示させる。具体的に、原稿／用紙／仕上げタブ７２の表示位置がタッチされると、パネル制御部１０は選択画面Ｓ２に選択キーとして、原稿サイズを設定するための原稿サイズキー６６や、印刷に用いる用紙サイズを設定するための用紙選択キー６７や、コンタクトガラスに原稿を載置する向きを設定するための原稿セット向きキー６８や、複数部印刷するときの各ページ印刷順などを設定するための印刷ソートキー６９などを表示する。
【００６７】
又、図６に示すように、レイアウト編集タブ７４の表示位置がタッチされると、パネル制御部１０は集約印刷や両面印刷など、ページの配置や画像データの編集に関する設定項目の選択キーを表示する画面（選択画面Ｓ３）を表示部１１に表示させる。例えば、レイアウト編集タブ７４の表示位置がタッチされると、パネル制御部１０は選択画面Ｓ３に選択キーとして、ズームを設定するための拡大縮小キー６１０や、両面印刷などに関して設定するための両面分割キー６１１や、集約印刷に関する設定を行うための集約キー６１２などを表示する。尚、他の設定項目に対応する選択キーについては説明を省略する。
【００６８】
このように、パネル制御部１０は、表示部１１に複数のタブを表示させ、タッチパネル部１２がタブの表示位置へのタッチを検知すると、タブを基準として分類され、機能に含まれる複数の設定項目を選択するための選択キー（用紙選択キー６０、６７、原稿サイズキー６５、６６等）を表示部１１に表示させる。そして、表示部１１は、選択された設定項目の設定画面を表示する。尚、初期画面タブ７１の表示位置へのタッチがタッチパネル部１２により検知されると、パネル制御部１０は図４に示す初期画面Ｓ１を表示部１１に表示させる。
【００６９】
（設定値の設定の一例）
次に、図７、図８を用いて、設定値の設定を説明する。図７、図８は原稿サイズの設定項目の設定画面Ｓ４を示す図である。
【００７０】
以下の説明では、コピー機能の原稿サイズの設定項目での設定値の設定を一例として説明する。尚、各設定項目に対しそれぞれ設定画面が用意されるが、他の設定項目については説明を割愛する。
【００７１】
原稿サイズの設定項目が選択されると（なぞり操作が行われることなく原稿サイズキー６５、６６の表示位置がタッチされ、タッチがなくなると）、パネル制御部１０は、原稿サイズの設定項目の設定画面Ｓ４内に、複数の設定値を設定するための設定キー（第１定形サイズキー８１、第２定形サイズキー８２、その他キー８３、サイズ入力キー８４など）を表示部１１に表示させる。図７に示すように、パネル制御部１０は、第１定形サイズキー８１の表示位置がタッチされると、Ａ型やＢ型の用紙の定形サイズを選択するための設定キーを一覧的に表示部１１に表示させる。そして、使用者は複数表示されたキーのうち原稿のサイズ（と方向）に対応するキーの表示位置をタッチする。
【００７２】
又、図示は省略するが、第２定形サイズキー８２の表示位置がタッチされると、パネル制御部１０は、インチ系の用紙の定形サイズ（レターサイズやステートメントサイズ等）を選択するためのキーを一覧的に表示部１１に表示させる。又、パネル制御部１０はその他キー８３の表示位置がタッチされると、はがきや特殊な用紙サイズを選択するためのキーを一覧的に表示部１１に表示させる。
【００７３】
又、図８に示すように、パネル制御部１０はサイズ入力キー８４の表示位置がタッチされると、不定形の用紙のサイズを手入力するためのキーを表示部１１に表示させる。例えば、パネル制御部１０は用紙の長辺と短辺のそれぞれについて、設定キーとして、表示されたサイズを大きくするプラスキー８５や、小さくするマイナスキー８６や、テンキー部１３による手入力を受け付けるためのテンキーキー８７などを表示する。そして、使用者は原稿サイズを操作パネル１に手入力する。
【００７４】
使用者は原稿サイズの設定が完了すれば、各設定画面に配されるＯＫキーＫ１の表示位置をタッチする。ＯＫキーＫ１がタッチされると、パネル制御部１０はタッチ位置に表示されたキーのサイズや、手入力されたサイズを原稿サイズであると認識する。そして、スタートキー１４が押されると、主制御部５はコピージョブのとき、原稿のサイズを設定されたサイズとして扱い、原稿の読み取りや原稿の読み取りで得られた画像データに対する処理を行わせる。
【００７５】
（設定項目説明画面Ｓ５）
次に、図９を用いて、本実施形態の操作パネル１での設定項目の説明画面の表示を説明する。図９は設定項目説明画面Ｓ５の一例を示す図である。
【００７６】
上述のように、複合機１００には複数の機能（コピー、送信等）を用いることができる。又、各機能には多数の設定項目が用意される。そして、設定項目の中には、複数種の設定値を設定できるものがある。そのため、複合機１００で設定できる設定項目や設定値の内容の合計量は全てを覚えきれないほど多くなる場合がある。
【００７７】
そうすると、操作パネル１で設定を行うとき迷ってしまうことがある。そこで、使用者の手助けのためにヘルプ画面を表示できるようにすることがある。従来、ヘルプキーの表示位置がタッチされると、ヘルプ画面が呼び出されるようにすることが多い。
【００７８】
しかし、ヘルプキーは一見わかりづらい位置に表示される場合や、表示位置をタッチしようと注視しているキーとは離れた位置に表示される場合などがあり、気付きにくく、使いづらいという問題がある。そこで、本実施形態の画像形成装置では、なぞり操作を行うだけで、簡易に目的とする説明画面（ヘルプ画面）を呼び出せるようにし、操作パネル１をより使いやすいものとする。
【００７９】
図９を用いて、設定項目の説明画面の呼び出しを説明する。図９の上方の図はコピー機能の設定項目の選択画面Ｓ２である（原稿／用紙／仕上げタブ７２がタッチされた状態）。
【００８０】
本実施形態の複合機１００では、説明画面を呼び出したい設定項目の選択キーに対しなぞり操作を行うことで、なぞり操作を行った設定項目の説明画面を呼び出すことができる。例えば、原稿サイズの設定項目説明画面Ｓ５を呼び出したい場合、図９に示すように原稿サイズの設定項目の選択キー（原稿サイズキー６６）の表示領域内をタッチしたままタッチ位置を移動させる。尚、タッチ位置の移動経路の一部が選択キーの表示領域を通っていればよい。また、設定項目ごとに設定項目説明画面Ｓ５が用意される。そして、他の設定項目説明画面Ｓ５については、図示、例示を省略する。
【００８１】
選択キーの表示領域に対するなぞり操作が行われると、図９の下側の図に示すようにパネル制御部１０は原稿サイズの設定項目説明画面Ｓ５を表示部１１に表示させる。図９の設定項目説明画面Ｓ５では図を示しつつ、原稿サイズの設定方法の説明が示されている。
【００８２】
尚、本実施形態の複合機１００では各種説明画面に共通して、次ページキー９１と前ページキー９２と終了キー９３が設けられる。次ページキー９１の表示位置へのタッチがタッチパネル部１２により検知されると、パネル制御部１０は、次ページの説明画面を表示部１１に表示させる（最終ページであり、次ページがなければ表示はそのまま）。前ページキー９２の表示位置へのタッチがタッチパネル部１２により検知されると、パネル制御部１０は前ページの説明画面を表示部１１に表示させる（１ページ目であり、前ページがなければ表示はそのまま）。終了キー９３の表示位置へのタッチがタッチパネル部１２により検知されると、パネル制御部１０は、説明画面の表示を終了し（説明画面を閉じさせ）、説明画面の表示前の画面を表示部１１に表示させる（元に戻る）。
【００８３】
このように、パネル制御部１０はタッチパネル部１２により選択キーの表示位置内に対してのなぞり操作が検知されたとき、なぞり操作がなされた位置に表示された設定項目（なぞり操作がなされた選択キーに対応する設定項目）を説明する設定項目説明画面Ｓ５を表示部１１に表示させる。
【００８４】
尚、なぞり操作がなされる選択キーが一つの場合を説明した。しかし、一度に連続して複数の選択キーに対してなぞり操作を行っても良い（１回のなぞり操作で複数の選択キーにまたがるようになぞり操作がなされてもよい）。即ち、１回のなぞり操作で、複数の選択キーに対するなぞり操作が検知されたとき、表示部１１は、なぞり操作がなされた複数の選択キーに対応する複数の設定項目説明画面Ｓ５を表示する。
【００８５】
例えば、図９の上側の図において、図の縦方向に原稿サイズキー６６と用紙選択キー６７が一度に連続してなぞり操作が行われたとき（図９の上側の図に、２点鎖線で、複数の選択キーにまたがるなぞり操作の一例を矢印Ａで図示）、図９の下側の図に示すように、パネル制御部１０は、まず、最初に原稿サイズの設定項目説明画面Ｓ５を表示部１１に表示させる。そして、パネル制御部１０は、原稿サイズの設定項目説明画面Ｓ５の最終ページで、次ページキー９１が操作されたとき、用紙選択の設定項目説明画面Ｓ５を表示部１１に表示させるようにしても良い。言い換えると、複数の選択キーに対してなぞり操作がなされたとき、パネル制御部１０は、なぞり操作がなされた選択キーのうち１つの設定項目を説明する設定項目説明画面Ｓ５に続けて、なぞり操作がなされた選択キーのうち、設定項目説明画面Ｓ５を未だ表示していない設定項目の設定項目説明画面Ｓ５を表示部１１に表示させる。
【００８６】
これにより、１回のなぞり操作で複数のキーを選択できる。そして、なぞり操作で選択した複数の選択キーに対応する複数種の設定項目設定画面Ｓ５を連続して表示させることができる。そのため、説明画面を表示する操作において、表示入力装置（操作パネル１）の使いやすさがさらに向上する。
【００８７】
ここで、選択キーの表示位置をタッチし、選択した設定項目の設定中に、設定項目説明画面Ｓ５を参照したくなる場合がある。例えば、設定項目の設定画面でどのような設定ができるか知りたい場合や、設定値を設定した結果、ジョブではどのように反映されるかを知りたい場合などがある。
【００８８】
そこで、本実施形態の複合機１００では、選択された設定項目の設定画面に配されたいずれかの設定キー（図７の例では、第１定形サイズキー８１などの設定キー）の表示領域に対するなぞり操作が行われたときも、図９の下側の図に示すように、パネル制御部１０は設定中（表示中）の設定項目に対応する設定項目説明画面Ｓ５を表示部１１に表示させてもよい（タッチ位置の移動経路の一部が設定キーの表示領域を通っていればよい）。
【００８９】
（機能説明画面Ｓ６）
次に、図１０を用いて、本実施形態の操作パネル１での空白部分へのなぞり操作説明画面の表示を説明する。図１０は機能説明画面Ｓ６を示す図である。
【００９０】
まず、図１０の上方の図はコピー機能の初期画面Ｓ１の一例である。そして、本実施形態の複合機１００では、選択キーや設定値を設定するための設定キーや文字が表示されていない空白の領域に対しなぞり操作を行うことで、設定中の（実行しようとしている）機能の説明画面（機能説明画面Ｓ６）を呼び出すことができる。例えば、コピー機能のおおまかな利用方法を説明する説明画面を呼び出したい場合、図１０に示すように、選択キーや設定キーや文字や図形が表示されていない空白の領域をタッチしたまま、タッチ位置を移動させる（空白領域へのなぞり操作）。尚、機能ごとに機能説明画面Ｓ６が用意されるが、コピー以外の機能説明画面Ｓ６については、図示、例示を省略する。
【００９１】
図１０の下側の図に示すように、コピー機能の設定中、空白に対しなぞり操作が行われると、パネル制御部１０は、コピー機能の利用方法について説明した機能説明を表示部１１に表示させる。図１０の機能説明画面Ｓ６では図を示しつつ、コピーの仕方の説明が示されている。
【００９２】
このように、パネル制御部１０はタッチパネル部１２により表示部１１の表示領域のうち、空白の表示位置に対してのなぞり操作が検知されたとき、表示部１１は機能の利用方法を説明する機能説明画面Ｓ６を表示する。
【００９３】
（タブ説明画面Ｓ７）
次に、図１１を用いて、本実施形態の操作パネル１でのタブ説明画面Ｓ７の表示を説明する。図１１はタブ説明画面Ｓ７の一例を示す図である。
【００９４】
まず、図１１の上方の図は、コピー機能のレイアウト編集タブ７４の表示位置をタッチしたときに表示される設定項目の選択画面Ｓ３の一例である。そして、本実施形態の複合機１００では、タブの表示位置がタッチされると、パネル制御部１０は、タブに分類された設定項目の選択キーを表示する選択画面を表示部１１に表示させる。
【００９５】
そして、タッチした同じタブ（現在表示中の選択画面に対応するタブ）の表示領域（表示位置）に対しなぞり操作を行うことで、現在選択しているタブ（カテゴリー）の説明画面（タブ説明画面Ｓ７）を呼び出すことができる。図１１の上側の図に示すように、タブ説明画面Ｓ７を呼び出したい場合、使用者は選択中のタブの表示位置をタッチしたまま、タッチ位置を移動させる。
【００９６】
図１１の下側の図に示すように、選択中のタブに対してなぞり操作が行われると、パネル制御部１０は、タブを説明した機能説明を表示部１１に表示させる。図１１のタブ説明画面Ｓ７は、図を示しつつ、タブに分類された設定項目の選択や、設定値の設定を説明している。尚、タブごとに、タブ説明画面Ｓ７が用意されるが、レイアウト／編集タブ以外のタブ説明画面Ｓ７については、図示、例示を省略する。そして、タブ説明画面Ｓ７の終了キー９３の表示位置へのタッチがタッチパネル部１２により検知されると、パネル制御部１０はタブ説明画面Ｓ７の表示を終了させ（説明画面を閉じさせ）、タブ説明画面Ｓ７の表示前の画面を表示部１１に表示させる（元に戻る）。
【００９７】
用意された設定項目が多いと、目的とする設定項目を選択しやすくするために、設定項目の内容に応じて分類される（仕分けられる）ことがある。そこで、パネル制御部１０は、表示部１１に複数のタブ（初期画面タブ７１等）を表示させる。そして、パネル制御部１０はタッチパネル部１２によりタブの表示位置へのタッチが検知されると、タブを基準として分類された設定項目の複数の選択キー（用紙選択キー６０、原稿サイズキー６５、６６等）を表示部１１に表示させる。さらに、パネル制御部１０はタッチパネル部１２により現在選択中のタブの表示位置に対してのなぞり操作が検知されたとき、なぞり操作がなされた位置に表示されたタブを説明するタブ説明画面Ｓ７を表示部１１に表示させる。
【００９８】
尚、上記の説明では、選択中のタブに対してなぞり操作が行われたときの例を説明している。しかし、選択中であるかどうかを問わず、表示されているタブの表示位置に対しなぞり操作がなされたとき、パネル制御部１０は、なぞり操作がなされたタブを説明した説明画面を表示部１１に表示させてもよい。
【００９９】
また、なぞり操作がなされるタブが一つの場合を説明した。しかし、一度に連続して複数のタブに対してなぞり操作を行ってもよい（１回のなぞり操作で複数のタブにまたがるようになぞり操作がなされてもよい）。即ち、１回のなぞり操作で、複数のタブに対するなぞり操作が検知されたとき、表示部１１は、なぞり操作がなされた複数のタブに対応する複数のタブ説明画面Ｓ７を表示する。
【０１００】
例えば、図１１の上側の図において、一度のなぞり操作で、レイアウト編集タブ７４と応用／その他タブ７５が連続してなぞられたとき（図１１の上側の図に、２点鎖線で、複数のタブにまたがるなぞり操作の一例を矢印Ｂで図示）、図１１の下側の図に示すように、パネル制御部１０は、まず、最初に、レイアウト編集タブ７４のタブ説明画面Ｓ７を表示部１１に表示させる。そして、パネル制御部１０は、レイアウト編集タブ７４のタブ説明画面Ｓ７の最終ページで次ページキー９１の操作がなされたとき、応用／その他のタブ説明画面Ｓ７を表示部１１に表示させるようにしても良い。言い換えると、複数のタブに対してなぞり操作がなされたとき、パネル制御部１０は、なぞり操作がなされたタブのうち１つのタブの機能を説明するタブ説明画面Ｓ７に続けて、なぞり操作がなされたタブのうち、タブ説明画面Ｓ７が未だ表示されていないタブのタブ説明画面Ｓ７を表示部１１に表示させる。
【０１０１】
これにより、１回のなぞり操作で複数のタブを選択できる。そして、なぞり操作で選択した複数のタブに対応するタブ説明画面Ｓ７を連続して表示させることができる。そのため、説明画面を表示する操作において、表示入力装置（操作パネル１）の使いやすさがさらに向上する。
【０１０２】
パネル制御部１０は、タッチパネル部１２の出力に基づき、なぞり操作で無い態様でいずれかのタブの表示位置がタッチされたとき（いずれかのタブをタッチした後、なぞり操作と認識されるまえにタッチ位置が無くなったとき）、タブが選択されたと認識する。そして、パネル制御部１０は、タッチされたタブに対応する設定項目の選択画面を表示部１１に表示させる。一方、パネル制御部１０は、タッチパネル部１２の出力に基づきタブの表示位置に対しなぞり操作でタッチされたとき（いずれかのタブをタッチした後、なぞり操作と認識されるまでタッチしたままタッチ位置を動かしたとき）、タブが選択されたと認識し、タッチされたタブに対応する説明画面を表示部１１に表示させる。
【０１０３】
そして、タブ説明画面内の終了キー９３の表示位置へのタッチがタッチパネル部１２により検知されると、パネル制御部１０は、タブの説明画面の表示を終了させ（説明画面を閉じさせ）、タブ説明画面Ｓ７の表示前の画面を表示部１１に表示させる（元に選択していたタブに対応する選択画面Ｓ３を表示部１１に表示させる）。
【０１０４】
（ステータス画面Ｓ８）
次に、図１２を用いて、本実施形態の操作パネル１でのステータス画面Ｓ８への遷移を説明する。図１２はステータス画面Ｓ８への遷移を示す図である。
【０１０５】
まず、図１２の上方の図はコピー機能の初期画面Ｓ１の一例である。そして、初期画面Ｓ１には複合機１００の図形が表示される。このように、パネル制御部１０は、画面内に、複合機１００の画像（機器画像ｉ１）を表示部１１に表示させるときがある。印刷や、原稿読み取り中などジョブ実行中や、用紙のジャム（詰まり）発生などのエラー発生など、複合機１００の状態に合わせ、パネル制御部１０は、予め定められた画像（矢印やマークなど）を複合機１００の画像の周囲に表示部１１に表示させる。
【０１０６】
そして、本実施形態の複合機１００では、複合機１００の画像（機器画像ｉ１）の表示領域（表示位置）に対しなぞり操作を行うことで、複合機１００のステータス画面Ｓ８を表示させることができる。ステータス画面Ｓ８は、複合機１００の状態を示し、使用者に説明する画面である。具体的に、図１２の上側の図に示すように、ステータス画面Ｓ８を呼び出したい場合、使用者は、複合機１００を示す画像の表示位置をタッチしたまま、タッチ位置を移動させる。
【０１０７】
図１２の下側の図に示すように、複合機１００の画像（機器画像ｉ１）に対してなぞり操作が行われると、パネル制御部１０は、ステータス画面Ｓ８を表示部１１に表示させる。図１２のステータス画面Ｓ８では、用紙消耗品タブの表示位置がタッチされたことで、トナーや用紙の残量情報を示すステータス画面Ｓ８を表示している状態を例示している。
【０１０８】
尚、各カセット３１に対し、用紙残量を検知するための用紙残量センサー３１ａが設けられる（図１参照）。そして、各用紙残量センサー３１ａの出力は、主制御部５に入力される。主制御部５は、用紙残量センサー３１ａの出力に基づき、各カセット３１の用紙残量を認識する。そして、ステータス画面Ｓ８を表示するとき、パネル制御部１０は各カセット３１の用紙残量を示すデータを主制御部５から受信する。パネル制御部１０は用紙残量を示すデータに基づき、各カセット３１の用紙残量を表示部１１に表示させる。
【０１０９】
又、現像装置４４にトナーを補給するトナーコンテナ４４ａが設けられる（図１参照、破線で図示）。尚、現像装置４４は、帯電部４２により帯電された感光体ドラム４１を露光部４３が走査、露光することで形成した静電潜像を現像する（図１参照）。そして、トナーコンテナ４４ａには、トナー残量センサー４４ｂが設けられる。トナー残量センサー４４ｂの出力は、主制御部５に入力される。主制御部５は、トナー残量センサー４４ｂの出力に基づき、トナーコンテナ４４ａのトナー残量を認識する。又、主制御部５は、トナーコンテナ４４ａが取り付けられてからトナーをのせたドットのカウントに基づき、現在のトナーコンテナ４４ａの残量を認識してもよい。そして、ステータス画面Ｓ８を表示するとき、パネル制御部１０はトナーコンテナ４４ａのトナー残量を示すデータを主制御部５から受信する。パネル制御部１０はトナー残量を示すデータに基づき、トナーコンテナ４４ａのトナー残量を表示部１１に表示させる。
【０１１０】
又、本実施形態の複合機１００には、清掃装置４６で回収された廃トナーや埃を貯める廃棄ボックス（廃トナーボックス４６ａ）が設けられる（図１参照、破線で図示）。清掃装置４６は、感光体ドラム４１の表面の残トナーを取り除く（図１参照）。そして、搬送管を含む搬送機構（不図示）により、廃トナーは、清掃装置４６から廃トナーボックス４６ａに送られる。廃トナーボックス４６ａに対し、廃トナーボックス４６ａが満杯になったか否かを検知するための満杯検知センサー４６ｂが設けられる。満杯検知センサー４６ｂの出力は、主制御部５に入力される。主制御部５は、満杯検知センサー４６ｂの出力に基づき、廃トナーボックス４６ａが満杯か否かを認識する。そして、ステータス画面Ｓ８を表示するとき、パネル制御部１０は、廃トナーボックス４６ａが満杯か否かを示すデータを主制御部５から受信する。パネル制御部１０は、主制御部５からのデータに基づき、廃トナーボックス４６ａが満杯か否かを表示部１１に表示させる。
【０１１１】
尚、ステータス画面Ｓ８には、印刷ジョブタブ７７や、送信ジョブタブ７８や、保存ジョブタブ７９や、デバイス／通信タブ７１０、用紙消耗品タブ７１１が設けられる。印刷ジョブタブ７７の表示位置がタッチされると、パネル制御部１０は、複合機１００に入力されている印刷ジョブの状態（実行中や実行待ちやエラーの有無など）を示す画面（ステータス画面Ｓ８の一種）を表示部１１に表示させる。送信ジョブタブ７８の表示位置がタッチされると、パネル制御部１０は、複合機１００に入力されている送信ジョブの状態（実行中や実行待ちやエラーの有無など）を示す画面（ステータス画面Ｓ８の一種）を表示部１１に表示させる。保存ジョブタブ７９の表示位置がタッチされると、パネル制御部１０は、複合機１００に入力され記憶装置５２で記憶したジョブ（実行には解除条件が必要なジョブなど）の状態（既に実行されたか、実行待ちかなど）を示す画面（ステータス画面Ｓ８の一種）を表示部１１に表示させる。デバイス／通信タブ７１０の表示位置がタッチされると、パネル制御部１０は、複合機１００の通信状態（ネットワークでの通信の有無や、ＦＡＸ回線の送受信状況や、通信回線の接続エラーなど）を示す画面（ステータス画面Ｓ８の一種）を表示部１１に表示させる。用紙消耗品タブ７１１の表示位置がタッチされると、パネル制御部１０は、図１２の下方の図に示すように、複合機１００内のトナーや用紙の残量を示すステータス画面Ｓ８を表示部１１に表示させる。これにより、使用者は、トナーなどの消耗品など交換、補給の必要がある部材の状態を知るための画面を容易に呼び出せる。
【０１１２】
このように、まず、表示部１１は、機器の画像である機器画像ｉ１（複合機１００の画像）を表示する。そして、パネル制御部１０は、タッチパネル部１２により複合機１００の画像の表示位置に対してのなぞり操作が検知されたとき、なぞり操作がなされた位置に表示された機器の状態を示すステータス画面Ｓ８を表示部１１に表示させる。これにより、従来のように、機器の状態を示すステータス画面Ｓ８を表示させるための複数ステップにわたる操作を行わなくても、ステータス画面Ｓ８を表示させることができる（ステータス画面Ｓ８に飛ぶことができる）。
【０１１３】
尚、タッチパネル部１２によりステータス画面Ｓ８内の終了キー７１２の表示位置へのタッチが検知されると、パネル制御部１０はステータス画面Ｓ８の表示を表示部１１に終了させ、（ステータス画面Ｓ８を閉じさせ）、ステータス画面Ｓ８の表示前の画面を表示部１１に表示させる（元に戻る）。
【０１１４】
このようにして、本実施形態に係る表示入力装置（操作パネル１）は機能に含まれる複数の設定項目を選択するための選択キー（用紙選択キー６０、原稿サイズキー６５、原稿サイズキー６６等）を表示し、選択された設定項目の設定画面を表示する表示部１１と、表示部１１に対して設けられ、使用者の入力を受け付け、タッチされた位置を検知するとともに、タッチしたままタッチ位置が動かされるなぞり操作を検知するためのタッチパネル部１２と、を含み、選択キーの表示位置内に対してのなぞり操作が検知されたとき、表示部１１はなぞり操作がなされた位置の選択キーに対応する設定項目を説明する設定項目説明画面Ｓ５を表示する。
【０１１５】
これにより、使用者は内容や設定方法を知りたい設定項目の選択キー（用紙選択キー６０、原稿サイズキー６５、原稿サイズキー６６等）の表示位置をなぞるという操作を行うだけで、なぞり操作を行った設定項目の説明画面を直接的に呼び出すことができる。従って、従来のように、画面内のいずれかの位置に配されるヘルプキーを探し出したうえで、ヘルプキーの表示位置をタッチするなどの複数段階にわたる操作を行わなくても、所望の設定項目説明画面Ｓ５を呼び出して表示させることができる。そのため、説明画面を表示する操作において、表示入力装置（操作パネル１）の使いやすさが向上する。
【０１１６】
尚、タッチしたまま、タッチ位置が予め定められた距離以上動かされるとタッチパネル部１２により「なぞり操作」がなされたと検知される。予め定められた距離は任意に定めることができる距離である。例えば、予め定められた距離は通常のタッチ（キーの表示位置を単に押すときのタッチ）の際のタッチ位置の微妙なずれの長さよりも長くされる。これにより、タッチ位置の滑りや、タッチ時の指の角度などに起因してタッチ位置が少しずれても、なぞり操作とご認識されることを防ぐことができる。
【０１１７】
又、表示部１１の表示領域のうち、空白の表示位置に対してのなぞり操作が検知されたとき、表示部１１は機能の利用方法を説明する機能説明画面Ｓ６を表示する。これにより、使用者は空白の表示位置をなぞることで、表示部１１に機能説明画面Ｓ６を表示させ、機能の利用での全体的な流れを確認することができる。
【０１１８】
また、１回のなぞり操作で、複数の選択キー選択キー（用紙選択キー６０、原稿サイズキー６５、原稿サイズキー６６等）に対するなぞり操作が検知されたとき、表示部１１は、なぞり操作がなされた複数の選択キーに対応する複数の設定項目説明画面Ｓ５を表示することとした。１回のなぞり操作で複数のキーを選択できる。そして、なぞり操作で選択した複数の選択キーに対応する複数種の設定項目設定画面Ｓ５を連続して表示させることができる。そのため、説明画面を表示する操作において、表示入力装置（操作パネル１）の使いやすさがさらに向上する。
【０１１９】
又、用意された設定項目が多いと、目的とする設定項目を選択しやすくするために、設定項目の内容に応じて分類される（仕分けられる）ことがある。そこで、表示部１１は複数のタブ（初期画面タブ７１等）を表示し、タブの表示位置へのタッチが検知されると、タブを基準として分類された設定項目の選択キー（用紙選択キー６０、原稿サイズキー６５、原稿サイズキー６６等）を表示し、タブの表示位置に対してのなぞり操作が検知されたとき、なぞり操作がなされた位置に表示されたタブを説明するタブ説明画面Ｓ７を表示する。これにより、使用者はタブの表示位置をなぞることで、表示部１１にタブ説明画面Ｓ７を表示させ、タブの内容などを確認することができる。尚、分類の階層的には、機能（上位）−タブ（中位）−設定項目（下位）という順序となる。
【０１２０】
また、１回のなぞり操作で、複数のタブ（初期画面タブ７１等）に対するなぞり操作が検知されたとき、表示部１１は、なぞり操作がなされた複数のタブに対応する複数のタブ説明画面Ｓ７を表示する。これにより、１回のなぞり操作で複数のタブを選択できる。そして、なぞり操作で選択した複数のタブに対応するタブ説明画面Ｓ７を連続して表示させることができる。そのため、説明画面を表示する操作において、表示入力装置（操作パネル１）の使いやすさがさらに向上する。
【０１２１】
又、表示部１１は機器の画像である機器画像ｉ１を表示し、機器画像ｉ１の表示位置に対してのなぞり操作が検知されたとき、なぞり操作がなされた位置に表示された機器の状態を示すステータス画面Ｓ８を表示する。これにより、従来のように、機器の状態を示すステータス画面Ｓ８を表示させるための複数ステップにわたる操作を行わなくても、ステータス画面Ｓ８を表示させることができる（ステータス画面Ｓ８に飛ぶことができる）。
【０１２２】
また、表示部１１は、ステータス画面Ｓ８で、トナーや用紙の残量情報を表示する。これにより、使用者は、トナーなどの消耗品など交換、補給の必要がある部材の状態を知るための画面を容易に呼び出せる。
【０１２３】
又、選択キー（用紙選択キー６０、原稿サイズキー６５、原稿サイズキー６６等）の表示位置のタッチの後、なぞり操作がなされずにタッチが無くなったことが検知されたとき、表示部１１はタッチ位置に表示された選択キーに対応する設定項目の設定画面を表示するとともに設定画面内に設定項目の設定値を設定するための設定キー（第１定形サイズキー８１、サイズ入力キー８４、プラスキー８５等）を表示し、設定キーの表示位置内に対してのなぞり操作が検知されたとき、表示中の設定画面に対応する設定項目の設定項目説明画面Ｓ５を表示する。これにより、設定項目の設定画面の表示中、いずれの設定値を設定していいか分からなくても、簡易に設定項目説明画面Ｓ５を呼び出して設定項目や設定値の内容を確認することができる。
【０１２４】
タッチパネル部１２は、タッチ位置が予め定められた距離以上動かされるとなぞり操作がなされたと検知し、予め定められた距離は、通常のタッチの際のタッチ位置の微妙なずれの長さよりも長い。これにより、タッチ位置の滑りや、タッチ時の指の角度などに起因してタッチ位置が少しずれても、なぞり操作とご認識されることを防ぐことができる。
【０１２５】
又、画像形成装置（複合機１００）は本実施形態の表示入力装置（操作パネル１）を含む。表示入力装置（操作パネル１）は説明画面を呼び出しやすく、使用者が使いやすいので、機能を利用するときの操作、設定が容易で使いやすい画像形成装置（複合機１００）を提供することができる。
【０１２６】
本発明の実施形態を説明したが、本発明の範囲はこれに限定されるものではなく、発明の主旨を逸脱しない範囲で種々の変更を加えて実施することができる。
【産業上の利用可能性】
【０１２７】
本発明は、操作パネル１等の表示部１１とタッチパネル部１２を有し、説明画面（ヘルプ画面）を表示するする表示入力装置や、画像形成装置に利用可能である。
【符号の説明】
【０１２８】
１００    複合機（画像形成装置）        １      操作パネル（表示入力装置）
１１    表示部                          １２    タッチパネル部
６０    用紙選択キー（選択キー）        ６１    拡大縮小キー（選択キー）
６２    濃度キー（選択キー）            ６３    両面分割キー（選択キー）
６４    集約キー（選択キー）            ６５    原稿サイズキー（選択キー）
６６    原稿サイズキー（選択キー）      ６７    用紙選択キー（選択キー）
６８    原稿セット向きキー（選択キー）  ６９    印刷ソートキー（選択キー）
６１０  拡大縮小キー（選択キー）        ６１１  両面分割キー（選択キー）
６１２  集約キー（選択キー）            ７１    初期画面タブ（タブ）
７２    原稿／用紙／仕上げタブ（タブ）  ７３    カラー／画質タブ（タブ）
７４    レイアウト編集タブ（タブ）      ７５    応用／その他タブ（タブ）
７６    プログラムタブ（タブ）          ８１    第１定形サイズキー（設定キー）
８２    第２定形サイズキー（設定キー）  ８３    その他キー（設定キー）
８４    サイズ入力キー（設定キー）      ８５    プラスキー（設定キー）
８６    マイナスキー（設定キー）        ８７    テンキーキー（設定キー）
Ｓ４    設定画面                        Ｓ５    設定項目説明画面
Ｓ６    機能説明画面                    Ｓ７    タブ説明画面
Ｓ８    ステータス画面                  ｉ１    機器画像
【図１】
2014081920.tif 000003
【図２】
2014081920.tif 000004
【図３】
2014081920.tif 000005
【図４】
2014081920.tif 000006
【図５】
2014081920.tif 000007
【図６】
2014081920.tif 000008
【図７】
2014081920.tif 000009
【図８】
2014081920.tif 000010
【図９】
2014081920.tif 000011
【図１０】
2014081920.tif 000012
【図１１】
2014081920.tif 000013
【図１２】
2014081920.tif 000014